(57)【要約】【課題】納骨時に便利なる墓石用の香炉を提供する。【解決手段】適宜支持部材にて箱形に形成した墓石用の香炉において、その上部に外扉用スライドレールと内扉用スライドレールを架設し、該スライドレールに外扉と内扉を各々取り付けることにより、外扉と内扉を独立して開閉できるよう構成したことを特徴とする。【選択図】      図２０
2006316602.tif 000002
【特許請求の範囲】
【請求項１】
適宜支持部材にて箱形に形成した墓石用の香炉において、その上部に外扉用スライドレールと内扉用スライドレールを架設し、該スライドレールに外扉と内扉を各々取り付けることにより、外扉と内扉を独立して開閉できるよう構成したことを特徴とする墓石用香炉。
【発明の詳細な説明】
【技術分野】
【０００１】  この発明は、従来の香炉としての機能に加えて納骨時にも役立つ機能を有する構造の墓石用の香炉に関する。
【背景技術】
【０００２】  従来より、墓石用の香炉はその前面に一対の開閉扉を有するものであり、この扉を開けて香炉内にて香を焚いたりローソクを立てたりして利用するものであって、本発明にて示すように、前部の扉とともに後部の扉も有し、通常の香炉としての使用の他に、後部の扉の開閉にて納骨を可能とする構造を有する墓石用の香炉は見当たらない。
【発明の開示】
【発明が解決しようとする課題】
【０００３】  従来からの一般的な墓石はその前面に供物台を有している。この供物台は、四角枠状の石とその上面を覆う上板とから構成され、納骨時にはこの上板を持ち上げて他の場所へ移動させてから供物台内部へ納骨し、上板を元の位置に戻すことにより行われる。
この作業は重量物である石材の上板を移動しなければならず、石材の種類やサイズおよび形状によっては成人男性でも困難な場合がある。また、作業時における石材の損傷やけが等も懸念される。宗旨・宗派によっては納骨儀式の際に、上板上面に骨箱、供物、仏具等を置いて墓前供養を行い、その後に納骨作業を行うため、上板上の物品を他の場所に移動させなければ納骨も困難である。
一方、墓石に多用されているものに香炉がある。これは扉部分を有する箱状物であり、この扉を開いて香を焚いたりローソクを立てたりする部分であって、通常は墓石最下部分の芝石上に設けられている。この従来の香炉の扉を左右にスライドさせて開くために、香炉下台および香炉笠石に扉を保持するための溝を設けており、香炉下台の溝には使用の経過とともにホコリや水が溜まって汚れる。また、近年、香炉に後扉を設けてこの後扉を開くことにより、中台および芝石の空隙内に納骨する方式も開発されてきているが、上記のように扉スライドのための溝を有するため、納骨の際に遺骨の一部が溝に溜まることがあり、この遺骨を除去する作業は遺族の宗教的感情を害する恐れがある。
また、扉を閉めたときは扉の外側に溝が露出して視覚的に良好とはいえない。
この香炉扉をスライドさせて開閉するときは、扉下端と下台溝の接触個所が互いに石材であるため、摩擦による不快音が発生し、また溝内の堆積物による扉の引っかかりにて開閉の円滑を害する場合がある。
本発明は、以上のような従来からの納骨手段に関わる課題を解決するために発明されたもので、スライドレールを用いた二重扉方式の香炉を設けることにより、スムースな納骨と良好なる外観の双方の利点を有する新規かつ有用なる墓石用の香炉を提供することを目的として開発されたものである。
【課題を解決するための手段】
【０００４】  課題を解決する手段として本発明は、スライドレールにて外扉と内扉を各々独立して開閉できるよう構成した。
すなわち、適宜支持部材にて箱形に形成した墓石用の香炉において、その上部に外扉用スライドレールと内扉用スライドレールを架設し、該スライドレールに外扉と内扉を各々取り付けることにより、外扉と内扉を独立して開閉できるよう構成する。
本発明は以上の構成よりなる墓石用香炉である。
【発明の効果】
【０００５】  本発明は以下の利点を有する。
１．スライドレール方式のため、納骨時における扉の開閉が容易である。
２．香炉扉の溝がないので、ホコリや水が溜まらず汚れにくく、掃除も容易である。
３．扉下端と下台が互いに接触しないため摩擦による不快音が発生しない。
４．使用金属部分は露出しないため、風雪に耐え、外観的にも良好である。
【発明を実施するための最良の形態】
【０００６】  以下、本発明の実施形態について説明する。
図において、１は直方体板状石材による下台、２は変形柱状の支柱である。この支柱は平面視において段部３と凸部４を有している。この支柱は下台両端部近傍上面に対向配置にて固着される。５は支柱上面に架設固着される細長直方体形状の上石、６は上石を覆うように固着される断面コ字形金属板による上石覆板、７はその前部と両側部を下方に延長した形状による笠石、８は上石覆板前面に固着される外扉用スライドレール、９は上石覆板後面に固着される内扉用スライドレールである。これらのスライドレールは市販品で、外側に位置するアウターレール内に鋼球をリテーナーを介して保持し、鋼球にインナーレールが接触保持され、アウターレールとインナーレールが互いにスライド可能に構成されたものであり、これを２個用意して互いのインナーレールを固定した構造である。
従って、一方のアウターレールを固定側とし、他方のアウターレールを可動側として、この可動側のアウターレールに他物品を取り付けることでその物品がスライド移動可能とすることができる。
１０は外扉保持板で、その一部を切除した長方形金属板の下端を直角に折曲して形成される。１１は石板による外扉で、その上部の一部を切除した長方形板体であり、該切除部と反対側には細長凹部１２が形成される。また、該扉裏面下部にはスリット１３が刻設される。前記外扉用スライドレールの可動側には外扉保持板上部が固着され、この保持板には外扉が固着される。なお、保持板下部の折曲部分はスリット１３内に挿入されて該保持板に対する外扉の位置決めがなされる。以上の構成から、外扉はスライドレールにてスライド移動可能となり、また、外扉保持板および外扉は左右一対が設けられる。【０００７】  １４は内扉保持板で、長方形金属板の下端を直角に折曲し、上端を２度直角に折曲して段部を形成したものである。１５は内扉で、長方形石板であり、その一方の側部には外扉同様に細長凹部１６が形成され、裏面にはスリット１７が刻設される。
これら双方の部品は図１９に示すように内扉保持板の上部は内扉用スライドレールの可動側に固着され、内扉保持板に内扉が固着されるとともに、該保持板の下部折曲部はスリット１７に挿入される。この内扉および内扉保持板も左右一対が設けられる。
なお、外扉巾に対し内扉巾は狭く形成される。
以上が本発明実施形態の構成である。
本発明は図２０のごとく芝台前部上面に下台を、中台前面に笠石後面を各々固着して設置される。なお、中台前面は開口部を有している。
本発明使用に際して、まず一般の香炉として使用する場合は、内扉閉外扉開にして使用する。図２１にて示す外扉閉の状態にて外扉の細長凹部に指を当てて左右に力を入れると、この外扉は外扉保持板にて外扉用スライドレールの可動側に固着されているので、このスライドレールに沿って左右に移動し、開状態となる。この外扉と外扉保持板の上部は段部を有し、この段部下部位置は笠石下端よりわずかに下方に位置する。
従って、この段部が笠石内面に近接する位置まで外扉を開くことができる。また、外扉下端は下台上面より少し上位置にあるため、扉移動時における互いの石材の摩擦はない。
なお、外扉保持板と支柱は軽い接触状態となるので、この外扉保持板適所に任意形状・サイズの薄合成樹脂板を貼着することにより、扉の開閉がより円滑となる。【０００８】  納骨時は、外扉を開けてから内扉を同様に開けると、中台の開口部が現れ、ここから納骨することができる。この内扉も外扉と同様の機構であり、スムースな開閉を行うことができる。この内扉は図１７にて示すように外扉より巾狭であり、支柱の段部が開閉時のストッパーの役割を有している。また、内扉閉時において外扉最大開時は内扉端部が露出する位置となるので、支柱に凸部を設けてこの内扉端部を隠蔽して良好な視感を得るよう構成した。さらに内扉は常に支柱後面に近接して位置するので、各部材のがたつきがあったときでも内扉位置の安定を図ることができる。
以上、本発明について記したが、以上の構成から各扉の開閉がスムースであり、扉用の溝がないためホコリや水が溜まることなく、良好な外観を有する墓石用の香炉を得ることができる。なお、図示は本発明の一例であり、近似の他の構成とすることができる。
簡略のため、図２０および図２１にては供物台を省いて表現した。
【図面の簡単な説明】
【０００９】
【図１】  本発明の平面図
【図２】  本発明の正面図（扉閉時）
【図３】  本発明の左側面図
【図４】  本発明の笠石の正面図
【図５】  Ａ−Ａ断面図
【図６】  本発明の支柱の斜視図
【図７】  本発明の外扉保持板（左側）の正面図
【図８】  本発明の外扉保持板（左側）の左側面図
【図９】  本発明の外扉（左側）の平面図
【図１０】  本発明の外扉（左側）の正面図
【図１１】  本発明の外扉（左側）の背面図
【図１２】  本発明の内扉保持板（左側）の正面図
【図１３】  本発明の内扉保持板（左側）の左側面図
【図１４】  本発明の内扉（左側）の平面図
【図１５】  本発明の内扉（左側）の正面図
【図１６】  本発明の内扉（左側）の背面図
【図１７】  本発明の構造説明図（笠石除去時・平面視）
【図１８】  本発明の正面図（外扉開時）
【図１９】  本発明の構造説明図（縦断面）
【図２０】  本発明の設置状態説明図（縦断面）
【図２１】  本発明の設置状態図（斜視図）
【符号の説明】
【００１０】  １    下台
２    支柱
３    段部
４    凸部
５    上石
６    上石覆板
７    笠石
８    外扉用スライドレール
９    内扉用スライドレール
１０  外扉保持板
１１  外扉
１２  細長凹部
１３  スリット
１４  内扉保持板
１５  内扉
１６  細長凹部
１７  スリット
１８  芝台
１９  中台
２０  上台
２１  棹石
【図１】
2006316602.tif 000003
【図２】
2006316602.tif 000004
【図３】
2006316602.tif 000005
【図４】
2006316602.tif 000006
【図５】
2006316602.tif 000007
【図６】
2006316602.tif 000008
【図７】
2006316602.tif 000009
【図８】
2006316602.tif 000010
【図９】
2006316602.tif 000011
【図１０】
2006316602.tif 000012
【図１１】
2006316602.tif 000013
【図１２】
2006316602.tif 000014
【図１３】
2006316602.tif 000015
【図１４】
2006316602.tif 000016
【図１５】
2006316602.tif 000017
【図１６】
2006316602.tif 000018
【図１７】
2006316602.tif 000019
【図１８】
2006316602.tif 000020
【図１９】
2006316602.tif 000021
【図２０】
2006316602.tif 000022
【図２１】
2006316602.tif 000023